(57)【要約】【課題】下半身側寝台部が屈曲状態とされたときでも、腹部等の圧迫がなく快適な使用感を得ることができるベッドに関する。【解決手段】使用者の下半身側が載せられる下半身側寝台部３と、使用者の上半身側が載せられる上半身側寝台部４とを含む寝台部２を具えたベッド１である。下半身側寝台部３は、使用者の太腿側が載せられる第１部分３Ａと、使用者の脹脛が載せられる第２部分３Ｂとを含んでいる。ベッド側面視において、下半身側寝台部３は、寝台面３Ｓが水平な基準状態と、第１部分３Ａと第２部分３Ｂとが上に凸で山折り状となる屈曲状態とに変形可能に連結されている。屈曲状態では、第２部分３Ｂの一部は、基準状態の寝台面３Ｓよりも下方に位置する。【選択図】図７
2016093434.tif 000002
【特許請求の範囲】
【請求項１】
使用者の下半身側が載せられる下半身側寝台部と、使用者の上半身側が載せられる上半身側寝台部とを含む寝台部を具えたベッドであって、
前記下半身側寝台部は、使用者の太腿側が載せられる第１部分と、前記使用者の脹脛が載せられる第２部分とを含み、
ベッド側面視において、前記下半身側寝台部は、寝台面が水平な基準状態と、前記第１部分と前記第２部分とが上に凸で山折り状となる屈曲状態とに変形可能に連結され、
しかも前記屈曲状態では、前記第２部分の一部は、前記基準状態の前記寝台面よりも下方に位置することを特徴とするベッド。
【請求項２】
前記寝台部を支持するベッドフレームをさらに有し、
前記第１部分の前記上半身側寝台部側の端部は、前記ベッドフレームに、ベッド幅方向にのびる第１水平軸で傾動可能に連結されており、
前記第２部分の前記第１部分側の端部は、前記第１部分に、ベッド幅方向にのびる第２水平軸で傾動可能に連結されており、
前記ベッドフレームは、前記第２部分が摺動可能でありかつ前記第２部分を下側から支える支持部を具えている請求項１記載のベッド。
【請求項３】
前記支持部は、ベッド幅方向にのびる断面円形の水平軸部材である請求項２記載のベッド。
【請求項４】
前記ベッドフレームは、前記下半身側寝台部が配置される下半身側フレームを含み、
前記ベッドが前記屈曲状態とされたときに前記第２部分の足先側の端部と前記下半身側フレームとの間に形成される隙間に、物が挟まるのを防ぐ異物進入防止具が設けられている請求項１乃至３のいずれかに記載のベッド。
【請求項５】
前記上半身側寝台部は、ベッド側面視において、前記下半身側寝台部側を支点として、上向きに傾くことにより、使用者の上半身を起き上がらせるリクライニング手段を含む請求項１乃至４のいずれかに記載のベッド。
【請求項６】
前記上半身側寝台部は、使用者の頭部側が載せられる第３部分と、前記使用者の背中が載せられる第４部分とを含み、
前記リクライニング手段は、前記第３部分を前記第４部分に先行して上向きに移動させる請求項５記載のベッド。
【請求項７】
前記第３部分と前記第４部分とは、リンクを介して傾動可能に連結され、
前記リクライニング手段は、前記ベッドフレームに設けられた伸縮可能なロッドを具えたアクチュエータを含み、
前記アクチュエータは、前記ロッドの伸長により、前記リンクを介して前記第３部分を持ち上げる請求項６記載のベッド。
【請求項８】
前記リンクは、第１リンクと、前記第１リンクも短尺な第２リンクとを含み、
前記上半身側寝台部の寝台面が水平な基準状態において、前記第２リンクは、前記第１リンクよりも上方に設けられ、
前記第１リンク及び前記第２リンクは、前記ロッドの伸長によって水平軸回りに傾動し、
しかも、前記第２リンクが、前記第１リンクよりも大きく傾動することにより、前記第３部分と前記第４部分との間に段差が形成される請求項７記載のベッド。
【発明の詳細な説明】
【技術分野】
【０００１】
本発明は、使用者が横たわることができる寝台部を含むベッドに関する。
【背景技術】
【０００２】
従来、使用者の上半身側が載せられる上半身側寝台部と、使用者の下半身側が載せられる下半身側寝台部とを含む寝台部を具えたベッドが提案されている（例えば、下記特許文献１参照）。このベッドの下半身側寝台部は、使用者の太腿側が載る部分と、使用者の脹脛が載る部分とが折り曲げ可能に連結されている。従って、ベッドの下半身側寝台部は、ベッド側面視において、その寝台面が水平な基準状態と、上に凸の山折り状となる屈曲状態とで変形可能に構成されている。このため、寝台部上の使用者は、上記屈曲状態では、下半身側寝台部の山折り形状に自らの足を沿わせてもたせかけることができる。
【先行技術文献】
【特許文献】
【０００３】
【特許文献１】特開２００５−１２４６５１号公報
【発明の概要】
【発明が解決しようとする課題】
【０００４】
一方、特許文献１において、使用者の脹脛が載る部分は、基準状態の寝台面よりも常に上方に位置している。このため、下半身側寝台部が屈曲状態とされたとき、寝台部上の使用者は、下半身側寝台部に持ち上げられた脚部、とりわけ脹脛の上昇によって腹部等が圧迫されるという傾向があった。
【０００５】
本発明は、以上のような実状に鑑み案出されたもので、下半身側寝台部が屈曲状態とされたときでも、腹部等の圧迫がなく快適な使用感を得ることができるベッドを提供することを主たる目的としている。
【課題を解決するための手段】
【０００６】
本発明は、使用者の下半身側が載せられる下半身側寝台部と、使用者の上半身側が載せられる上半身側寝台部とを含む寝台部を具えたベッドであって、前記下半身側寝台部は、使用者の太腿側が載せられる第１部分と、前記使用者の脹脛が載せられる第２部分とを含み、ベッド側面視において、前記下半身側寝台部は、寝台面が水平な基準状態と、前記第１部分と前記第２部分とが上に凸で山折り状となる屈曲状態とに変形可能に連結され、しかも前記屈曲状態では、前記第２部分の一部は、前記基準状態の前記寝台面よりも下方に位置することを特徴とする。
【０００７】
本発明に係る前記ベッドにおいて、前記寝台部を支持するベッドフレームをさらに有し、前記第１部分の前記上半身側寝台部側の端部は、前記ベッドフレームに、ベッド幅方向にのびる第１水平軸で傾動可能に連結されており、前記第２部分の前記第１部分側の端部は、前記第１部分に、ベッド幅方向にのびる第２水平軸で傾動可能に連結されており、前記ベッドフレームは、前記第２部分が摺動可能でありかつ前記第２部分を下側から支える支持部を具えているのが望ましい。
【０００８】
本発明に係る前記ベッドにおいて、前記支持部は、ベッド幅方向にのびる断面円形の水平軸部材であるのが望ましい。
【０００９】
本発明に係る前記ベッドにおいて、前記ベッドフレームは、前記下半身側寝台部が配置される下半身側フレームを含み、前記ベッドが前記屈曲状態とされたときに前記第２部分の足先側の端部と前記下半身側フレームとの間に形成される隙間に、物が挟まるのを防ぐ異物進入防止具が設けられているのが望ましい。
【００１０】
本発明に係る前記ベッドにおいて、前記上半身側寝台部は、ベッド側面視において、前記下半身側寝台部側を支点として、上向きに傾くことにより、使用者の上半身を起き上がらせるリクライニング手段を含むのが望ましい。
【００１１】
本発明に係る前記ベッドにおいて、前記上半身側寝台部は、使用者の頭部側が載せられる第３部分と、前記使用者の背中が載せられる第４部分とを含み、前記リクライニング手段は、前記第３部分を前記第４部分に先行して上向きに移動させるのが望ましい。
【００１２】
本発明に係る前記ベッドにおいて、前記第３部分と前記第４部分とは、リンクを介して傾動可能に連結され、前記リクライニング手段は、前記ベッドフレームに設けられた伸縮可能なロッドを具えたアクチュエータを含み、前記アクチュエータは、前記ロッドの伸長により、前記リンクを介して前記第３部分を持ち上げるのが望ましい。
【００１３】
本発明に係る前記ベッドにおいて、前記リンクは、第１リンクと、前記第１リンクも短尺な第２リンクとを含み、前記上半身側寝台部の寝台面が水平な基準状態において、前記第２リンクは、前記第１リンクよりも上方に設けられ、前記第１リンク及び前記第２リンクは、前記ロッドの伸長によって水平軸回りに傾動し、しかも、前記第２リンクが、前記第１リンクよりも大きく傾動することにより、前記第３部分と前記第４部分との間に段差が形成されるのが望ましい。
【発明の効果】
【００１４】
本発明のベッドは、使用者の上半身側が載せられる上半身側寝台部と、使用者の下半身側が載せられる下半身側寝台部とを含む寝台部を含んでいる。下半身側寝台部は、使用者の太腿側が載せられる第１部分と、使用者の脹脛が載せられる第２部分とを含んでいる。
【００１５】
ベッド側面視において、下半身側寝台部は、寝台面が水平な基準状態と、第１部分と第２部分とが上に凸で山折り状となる屈曲状態とに変形可能に連結されている。このため、寝台部上の使用者は、上記屈曲状態では、下半身側寝台部の山折り形状に自らの足を沿わせて、もたせかけることができる。
【００１６】
しかも、本発明のベッドにおいては、上記屈曲状態では、第２部分の一部が、基準状態の寝台面よりも下方に位置する。このため、下半身側寝台部によって足が持ち上げられた場合でも、脹脛を従来よりも下方に位置させることができる。従って、本発明のベッドは、前記屈曲状態において、従来のベッドに比べて腹部等の圧迫を軽減して、快適な使用感が得られる。
【図面の簡単な説明】
【００１７】
【図１】本実施形態のベッドの斜視図である。
【図２】ベッドの側面図である。
【図３】ベッドフレームの平面図である。
【図４】（ａ）は、上半身側寝台部の基準状態でのリンクの側面図、（ｂ）は、第３部分が先行して上向きに移動された状態でのリンクの側面図である。
【図５】本実施形態の変形手段を示す分解斜視図である。
【図６】（ａ）は、下半身側寝台部の基準状態の変形手段を示す側面図、（ｂ）は、下半身側寝台部の屈曲状態の変形手段を示す側面図である。
【図７】屈曲状態及びリクライニング状態に変形されたベッドの側面図である。
【図８】異物進入防止具を示す斜視図である。
【図９】本実施形態のリクライニング手段を示す分解斜視図である。
【図１０】上半身側寝台部の基準状態でのリクライニング手段を拡大して示す側面図である。
【図１１】第３部分が先行して上向きに移動されたベッドの部分側面図である。
【発明を実施するための形態】
【００１８】
以下、本発明の実施の一形態が図面に基づき説明される。
図１は、本実施形態のベッド１の斜視図である。図２は、ベッド１を側面から見た断面図である。図３は、ベッドフレーム６の平面図である。本実施形態のベッド１は、使用者が載せられる寝台部２を具えている。本実施形態の寝台部２は、使用者の下半身側が載せられる下半身側寝台部３と、使用者の上半身側が載せられる上半身側寝台部４と、使用者の腰部が載せられる腰部寝台部５とを含んでいる。これらの寝台部３、４及び５は、ベッドフレーム６に載置されている。
【００１９】
図１に示されるように、下半身側寝台部３は、使用者の太腿側が載せられる第１部分３Ａと、使用者の脹脛が載せられる第２部分３Ｂとを含んで構成されている。
【００２０】
第１部分３Ａは、例えば、枠体７ａと、枠体７ａの上面に配されたウレタンフォーム等のクッション材８ａとを含んで構成されている。本実施形態の枠体７ａは、平面視横長矩形状に形成されている。また、枠体７ａには、ベッド長さ方向にのびる一対の補強材９ａ、９ａと、クッション材８ａを支持するための支持材（図示省略）が設けられている。これらの枠体７ａ、クッション材８ａ、補強材９ａ、９ａ及び支持材は、例えば、カバー材（図示省略）によって被覆されている。
【００２１】
第２部分３Ｂは、第１部分３Ａと同様に、枠体７ｂと、クッション材８ｂとを含んで構成されている。本実施形態の枠体７ｂは、平面視矩形状に形成されている。また、枠体７ｂには、一対の補強材９ｂ、９ｂと、支持材（図示省略）とが設けられている。これらの部材は、カバー材（図示省略）によって被覆されている。
【００２２】
図２に示されるように、本実施形態の第１部分３Ａの上半身側寝台部４側の端部３Ａｓが、ベッドフレーム６に、後述する変形手段１９を介して、ベッド幅方向にのびる第１水平軸ａ１で傾動可能に連結されている。また、第２部分３Ｂの第１部分３Ａ側の端部３Ｂｓは、第１部分３Ａに、ベッド幅方向にのびる第２水平軸ａ２で傾動可能に連結されている。これにより、ベッド側面視において、下半身側寝台部３は、その寝台面３Ｓが水平な基準状態（図２に示す）と、第１部分３Ａと第２部分３Ｂとが上に凸で山折り状となる屈曲状態（図７に示す）とに変形可能に連結される。
【００２３】
図１に示されるように、上半身側寝台部４は、使用者の頭部側が載せられる第３部分４Ａと、使用者の背中が載せられる第４部分４Ｂとが含まれる。第３部分４Ａと第４部分４Ｂとは、一対のリンク１２、１２を介して傾動可能に連結されている。
【００２４】
第３部分４Ａは、下半身側寝台部３の第１部分３Ａや第２部分３Ｂと同様に、例えば、枠体７ｃと、クッション材８ｃとを含んで構成されている。本実施形態の枠体７ｃは、平面視横長矩形状に形成されている。また、枠体７ｃには、一対の補強材９ｃ、９ｃと、支持材（図示省略）とが設けられている。これらの部材は、カバー材（図示省略）によって被覆されている。
【００２５】
図４（ａ）、（ｂ）は、リンク１２を拡大して示す側面図である。図４（ａ）に示されるように、第３部分４Ａには、一対のリンク１２、１２を取り付けるための頭部側取付片１３、１３が設けられている。頭部側取付片１３は、板状に形成されている。頭部側取付片１３は、上半身側寝台部４の寝台面４Ｓが水平な基準状態（図２に示す）において、第３部分４Ａの各補強材９ｃ、９ｃから下方に突出している。各頭部側取付片１３、１３は、各補強材９ｃ、９ｃから同一の幅Ｗ１で下方にのびる主部１３ａと、主部１３ａから下方に向かって幅Ｗ１を漸減させる鋭角部１３ｂとを含んで構成されている。鋭角部１３ｂは、ヘッドボード６Ａ側の一側辺１３ｓが垂直にのびている。他方、下半身側寝台部３側の他側辺１３ｔは、主部１３ａから下方に向かって、一側辺１３ｓ側へ傾斜してのびている。これにより、頭部側取付片１３は、側面視台形状に形成されている。
【００２６】
次に、図１に示されるように、第４部分４Ｂは、第３部分４Ａと同様に、例えば、枠体７ｄと、クッション材８ｄとを含んで構成されている。本実施形態の第４部分４Ｂは、平面視矩形状に形成されている。また、枠体７ｄには、一対の補強材９ｄ、９ｄと、支持材（図示省略）とが設けられている。これらの部材は、カバー材（図示省略）によって被覆されている。
【００２７】
図２に示されるように、第４部分４Ｂの下半身側寝台部３側の端部４Ｂｔは、ベッドフレーム６に、後述するリクライニング手段２０を介して、ベッド幅方向にのびる第３水平軸ａ３で傾動可能に連結されている。これにより、ベッド側面視において、上半身側寝台部４は、その寝台面４Ｓが水平な基準状態（図２に示す）と、下半身側寝台部３側の第３水平軸ａ３を支点として、上向きに傾くリクライニング状態（図７に示す）とで変形可能に連結されうる。
【００２８】
図４（ａ）に示されるように、第４部分４Ｂには、リンク１２を取り付けるための背中側取付片１４が設けられている。背中側取付片１４は、板状に形成されている。各背中側取付片１４は、上半身側寝台部４の基準状態において、第４部分４Ｂの各補強材９ｄ、９ｄから下方に突出している。各背中側取付片１４は、補強材９ｄから第３部分４Ａに向かって傾斜してのびる傾斜部１４ａと、傾斜部１４ａの一端から垂直にのびる垂下部１４ｂとを含んで構成されている。垂下部１４ｂは、枠体４ｄの第３部分４Ａ側の端部よりも第３部分４Ａ側にはみ出して設けられている。上半身側寝台部４の基準状態において、傾斜部１４ａの下端の位置と、頭部側取付片１３の主部１３ａの下端の位置とは、ベッド高さ方向で一致している。さらに、垂下部１４ｂの下端の位置と、鋭角部１３ｂの下端の位置とは、ベッド高さ方向で一致している。
【００２９】
リンク１２は、第１リンク１２Ａと、第１リンク１２Ａよりも短尺な第２リンク１２Ｂとを含んで構成されている。第１リンク１２Ａ及び第２リンク１２Ｂは、第３部分４Ａの頭部側取付片１３、及び、第４部分４Ｂの背中側取付片１４を介して、第３部分４Ａ及び第４部分４Ｂに連結されている。本実施形態では、上半身側寝台部４の基準状態において、第２リンク１２Ｂが、第１リンク１２Ａよりも上方に設けられている。
【００３０】
第１リンク１２Ａの頭部側取付片１３側の一端は、頭部側取付片１３の鋭角部１３ｂの下端に、ベッド幅方向にのびる第５水平軸ａ５で傾動可能に連結されている。第１リンク１２Ａの背中側取付片１４側の他端は、背中側取付片１４の垂下部１４ｂの下端に、ベッド幅方向にのびる第６水平軸ａ６で傾動可能に連結されている。第１リンク１２Ａは、上半身側寝台部４の基準状態において、ベッド長さ方法に沿って水平にのびている。
【００３１】
第２リンク１２Ｂの頭部側取付片１３側の一端は、頭部側取付片１３の主部１３ａの下端に、ベッド幅方向にのびる第７水平軸ａ７で傾動可能に連結されている。第２リンク１２Ｂの背中側取付片１４側の他端は、背中側取付片１４の傾斜部１４ａの下端に、ベッド幅方向にのびる第８水平軸ａ８で傾動可能に連結されている。第２リンク１２Ｂは、上半身側寝台部４の基準状態において、ベッド長さ方向に沿って水平にのびている。
【００３２】
上半身側寝台部４の基準状態において、第１リンク１２Ａの頭部側取付片１３側の一端は、第２リンク１２Ｂの一端よりも、ヘッドボード６Ａ側に突出している。他方、第１リンク１２Ａの背中側取付片１４側の他端と、第２リンク１２Ｂの他端とは、ベッド長さ方向において、同一位置に配置されている。このようなリンク１２の作用については、後述する。
【００３３】
図１に示されるように、腰部寝台部５は、下半身側寝台部３や上半身側寝台部４と同様に、平面視横長矩形状に結合された枠体７ｅ、クッション材８ｅ、一対の補強材９ｅ、９ｅと、支持材（図示省略）とが設けられている。これらの部材は、カバー材（図示省略）によって被覆されている。また、腰部寝台部５は、ベッドフレーム６に固定されている。
【００３４】
図１及び図３に示されるように、ベッドフレーム６は、ヘッドボード６Ａ、フットボード６Ｂ、一対のサイドフレーム６Ｃ、６Ｃ、及び、センターフレーム６Ｄを含んで構成されている。
【００３５】
ヘッドボード６Ａ及びフットボード６Ｂは、床面に接地されている。ヘッドボード６Ａには、例えば、棚等の収納スペースが設けられている。フットボード６Ｂは、図２に示されるように、板状に形成された主部６Ｂａと、主部６Ｂａのベッド幅方向の両側に配置された脚部６Ｂｂとを含んで構成されている。
【００３６】
一対のサイドフレーム６Ｃ、６Ｃは、図３に示されるように、ヘッドボード６Ａと、フットボード６Ｂとの間を、ベッド長さ方向に沿ってのびている。本実施形態の各サイドフレーム６Ｃ、６Ｃは、ヘッドボード６Ａとフットボード６Ｂとを継ぐ連結枠１６と、連結枠１６のベッド幅方向の外側を覆う飾り側板１７とを含んで構成されている。
【００３７】
連結枠１６は、例えば、角型鋼管によって構成されている。連結枠１６とヘッドボード６Ａとの固定は、例えば、連結枠１６に対してフランジ状にのびる取付金物１８が用いられる。飾り側板１７は、側面視矩形の板状に形成されている。連結枠１６と飾り側板１７とは、例えば、ボルト等の固着具によって固定されている。
【００３８】
センターフレーム６Ｄは、ベッド長さ方向の中央部において、一対のサイドフレーム６Ｃ、６Ｃ間をベッド幅方向で連結している。本実施形態のセンターフレーム６Ｄは、一対の支持片２１、２１と、一対の連結材２２、２２とを含んで構成されている。
【００３９】
一対の支持片２１、２１は、サイドフレーム６Ｃの連結枠１６にそれぞれ固定されている。一対の連結材２２、２２は、ベッド幅方向にのび、かつ、一対の支持片２１、２１間を連結している。また、一対の連結材２２、２２間には、ベッド長さ方向にのびる補強材２３が連結されている。このようなセンターフレーム６Ｄにより、ベッドフレーム６の強度が高められる。図２に示されるように、連結材２２の上部には、腰部寝台部５が固定されている。従って、センターフレーム６Ｄは、腰部寝台部５が配置される腰部フレーム１５Ｃとして構成されている。
【００４０】
図３に示されるように、本実施形態のベッドフレーム６は、フットボード６Ｂ、及び、センターフレーム６Ｄよりも使用者の下半身側に配されるサイドフレーム６Ｃ、６Ｃにより、下半身側寝台部３が配置される下半身側フレーム１５Ａとして構成される。また、ベッドフレーム６は、ヘッドボード６Ａ、及び、センターフレーム６Ｄよりも使用者の上半身側に配されるサイドフレーム６Ｃ、６Ｃにより、上半身側寝台部４が配置される上半身側フレーム１５Ｂとして構成される。
【００４１】
本実施形態の下半身側フレーム１５Ａは、下半身側寝台部３の第２部分３Ｂを下側から支える支持部（以下、単に「第１支持部」ということがある。）２４Ａと、使用者の太腿を持ち上げる変形手段１９とが設けられている。
【００４２】
図２及び図３に示されるように、第１支持部２４Ａは、サイドフレーム６Ｃからベッド幅方向にのびる水平軸部材として構成されている。本実施形態の第１支持部２４Ａは、一対のサイドフレーム６Ｃ、６Ｃにそれぞれ設けられている。第１支持部２４Ａは、下半身側寝台部３の寝台面３Ｓが水平な基準状態において、第２部分３Ｂの第１部分３Ａ側の端部３Ｂｓと、使用者の足先側の端部３Ｂｔとの間に配置されている。各第１支持部２４Ａ、２４Ａは、下半身側寝台部３の第２部分３Ｂの枠体７ｂの下面に当接するように、連結枠１６からベッド幅方向の内側に小長さで突出している。このような第１支持部２４Ａ、２４Ａにより、下半身側寝台部３の第２部分３Ｂが支えられうる。
【００４３】
本実施形態の第１支持部２４Ａは、断面円形の水平軸部材として構成されている。これにより、第１支持部２４Ａは、下半身側寝台部３の基準状態（図２に示す）から屈曲状態（図７に示す）への変形時において、下半身側寝台部３の第２部分３Ｂの傾動とともに、第２部分３Ｂの下面をスムーズに摺動させうる。
【００４４】
図５は、本実施形態の変形手段１９を示す分解斜視図である。図６（ａ）は、下半身側寝台部３の基準状態の変形手段１９を拡大して示す側面図である。図６（ｂ）は、下半身側寝台部３の屈曲状態の変形手段１９を拡大して示す側面図である。変形手段１９は、アクチュエータ（以下、単に「第１アクチュエータ」ということがある。）２６と、傾動手段（以下、単に「第１傾動手段」ということがある。）２７とを含んで構成されている。
【００４５】
第１アクチュエータ２６は、電動モータ２６ａと、電動モータ２６ａの駆動により伸縮可能なロッド２６ｂとが設けられている。図３に示されるように、本実施形態では、電動モータ２６ａが上半身側寝台部４側に配置される一方、ロッド２６ｂが下半身側寝台部３側に配置されている。図６（ａ）に示されるように、電動モータ２６ａは、センターフレーム６Ｄの一対の連結材２２、２２のうち、上半身側寝台部４側の連結材２２ｂの下方に、取付部材２８を介して固定されている。これにより、第１アクチュエータ２６は、ベッドフレーム６（センターフレーム６Ｄ）に設けられる。取付部材２８と電動モータ２６ａの筐体とは、ベッド幅方向にのびる水平軸ａ１１で傾動可能に連結されている。なお、第１アクチュエータ２６の操作は、例えば、リモコン等により、ベッド１上の使用者によって行われる。
【００４６】
図５及び図６（ａ）に示されるように、第１傾動手段２７は、一対の支持片３１、３１と、一対の傾動部３２、３２と、回動軸３３と、レバー３４とを有している。
【００４７】
一対の支持片３１、３１は、固定片３１ａと、凸片３１ｂとを含んで構成されている。固定片３１ａは、センターフレーム６Ｄの一対の連結材２２、２２のうち、下半身側寝台部３側の連結材２２ａの下部に固定されている。本実施形態の凸片３１ｂは、固定片３１ａの下半身側寝台部３側の端部から、連結材２２ａの上面よりも上方にのびている。また、凸片３１ｂは、連結材２２に対して下半身側寝台部３側に配置されている。
【００４８】
一対の傾動部３２、３２は、基部３２ａと、突出片３２ｂとを含んで構成されている。
【００４９】
基部３２ａは、下半身側寝台部３の基準状態において、一対の支持片３１、３１からフットボード６Ｂ側に向かって、ベッド長さ方向にのびている。基部３２ａの上面は、下半身側寝台部３の第１部分３Ａの補強材９ａと略同一長さに設定されている。さらに、一対の傾動部３２、３２は、一対の補強材９ａ、９ａの下部に、それぞれ固定されている。
【００５０】
突出片３２ｂは、基部３２ａの上半身側寝台部４側の端部から上半身側寝台部４に向かって、上方に傾斜してのびている。この突出片３２ｂには、一対の支持片３１、３１の凸片３１ｂに、ベッド幅方向にのびる第１水平軸ａ１で傾動可能にそれぞれ連結される。これにより、第１部分３Ａの上半身側寝台部４側の端部３Ａｓ（図２に示す）は、下半身側フレーム１５Ａ（図３に示す）に、変形手段１９を介して第１水平軸ａ１で傾動可能に連結される。
【００５１】
回動軸３３は、例えば、ベッド幅方向にのびる丸型鋼管によって構成されている。この回動軸３３は、一対の傾動部３２、３２間に連結されている。
【００５２】
レバー３４は、例えば、板状に形成された一対のレバー片３４ｓ、３４ｓを含んで構成されている。各レバー片３４ｓ、３４ｓは、回動軸３３と、第１アクチュエータ２６のロッド２６ｂとの間をのびている。各レバー片３４ｓ、３４ｓの下半身側寝台部３側の一端は、回動軸３３に固定されている。また、各レバー片３４ｓ、３４ｓの上半身側寝台部４側の他端は、第１アクチュエータ２６のロッド２６ｂの端部に連結されている。各レバー片３４ｓ、３４ｓと、ロッド２６ｂとは、ベッド幅方向にのびる水平軸ａ１２で回動可能に連結されている。
【００５３】
図７は、屈曲状態及びリクライニング状態に変形されたベッド１の側面図である。図６（ｂ）及び図７に示されるように、変形手段１９では、第１アクチュエータ２６のロッド２６ｂの伸長により、回動軸３３、レバー３４及び一対の傾動部３２、３２が、図において反時計回りに一体に回転される。一対の傾動部３２、３２の回転により、下半身側寝台部３の第１部分３Ａが、第１水平軸ａ１を支点とする反時計回りに傾動する。
【００５４】
第１部分３Ａの傾動により、第２部分３Ｂの第１部分３Ａ側の端部３Ｂｓが持ち上げられる。また、第２部分３Ｂは、図において、第２水平軸ａ２を支点とする時計回りに傾動される。これにより、下半身側寝台部３は、その寝台面３Ｓが水平な基準状態（図２に示す）から、第１部分３Ａと第２部分３Ｂとが上に凸で山折り状となる屈曲状態（図７に示す）に変形されうる。また、第１アクチュエータ２６のロッド２６ｂの短縮により、下半身側寝台部３は、各部材が逆方向に傾動し、屈曲状態（図７に示す）から基準状態（図２に示す）に変形されうる。
【００５５】
図６（ａ）に示した下半身側寝台部３の基準状態において、第１水平軸ａ１は、傾動部３２を回転させる回動軸３３よりも上方に配置されている。このような第１水平軸ａ１を支点とすることにより、下半身側寝台部３の第１部分３Ａが、比較的小さな力で持ち上げられうる。
【００５６】
図２に示されるように、下半身側寝台部３の基準状態において、第２部分３Ｂの下面は、第１支持部２４Ａのみで支持されている。さらに、第１支持部２４Ａは、第２部分３Ｂの第１部分３Ａ側の端部３Ｂｓと、使用者の足先側の端部３Ｂｔとの間に配置されている。このため、図７に示した第２部分３Ｂの傾動により、第２部分３Ｂの下面が第１支持部２４Ａに摺動されながら、第２部分３Ｂの使用者の足先側が、下半身側寝台部３の基準状態の寝台面３Ｓ（図２に示す）よりも下方に位置される。
【００５７】
このように、下半身側寝台部３の屈曲状態では、第２部分３Ｂの一部（本実施形態では、使用者の足先側）が、下半身側寝台部３の基準状態の寝台面３Ｓ（図２に示す）よりも下方に位置されるため、下半身側寝台部３によって使用者の足が持ち上げられた場合でも、脹脛を従来よりも下方に位置させることができる。これにより、本発明のベッド１は、下半身側寝台部３の屈曲状態において、従来のベッドに比べて使用者の腹部等の圧迫を軽減することができる。特に、使用者の上半身が起き上がる上半身側寝台部４のリクライニング時には、使用者の腹部等の圧迫が効果的に軽減されうる。従って、ベッド１の使用者は、快適な使用感が得られうる。
【００５８】
このような作用を効果的に発揮させるために、下半身側寝台部３の屈曲状態において、第２部分３Ｂと第１部分３Ａとのなす角度α１は、１４０度〜１６０度に設定されるのが望ましい。なお、角度α１が１６０度を超えると、第２部分３Ｂを、下半身側寝台部３の基準状態の寝台面３Ｓよりも、十分に下方に位置させることができないおそれがある。逆に、角度α１が１４０度未満であると、使用者の太腿と脹脛とが大きく折り曲げられ、快適な使用感を十分に得られなくなるおそれがある。
【００５９】
下半身側寝台部３の屈曲状態では、第２部分３Ｂの足先側の端部３Ｂｔと下半身側フレーム１５Ａ（フットボード６Ｂ）との間に、隙間３６が形成される。このような隙間３６に物が挟まれると、下半身側寝台部３の屈曲状態から基準状態への変形時において、第１アクチュエータ２６に大きな力が作用し、変形手段１９が破損するおそれがある。従って、隙間３６に物が挟まるのを防ぐ異物進入防止具３７が設けられるのが望ましい。
【００６０】
図８は、異物進入防止具３７を示す斜視図である。図３、図７及び図８に示されるように、本実施形態の異物進入防止具３７は、進入阻止部３８と、固定金具３９とを含んで構成されている。
【００６１】
進入阻止部３８は、ベッド幅方向に水平にのび、かつ、平面視略矩形に形成された板状に形成されている。本実施形態の進入阻止部３８は、枠体３８ａと、枠体３８ａの内部に配置されるメッシュ部３８ｂとを含んで構成されている。この進入阻止部３８は、下半身側寝台部３の屈曲状態において、第２部分３Ｂの足先側の端部３Ｂｔよりも下方に配置されている。このような進入阻止部３８により、ベッド１の下方から隙間３６に、物が進入されるのが防がれうる。
【００６２】
本実施形態の固定金具３９は、進入阻止部３８のベッド幅方向の両端において、フットボード６Ｂ側の端部と、ヘッドボード６Ａ側の端部とにそれぞれ設けられている。固定金具３９は、進入阻止部３８から上方にのびる基部３９ａと、基部３９ａの上端からベッド幅方向の外側に向かって折れ曲がるフック部３９ｂとを含んで構成されている。フック部３９ｂは、サイドフレーム６Ｃの連結枠１６に設けられた孔４０に係止される。これにより、異物進入防止具３７は、ベッドフレーム６に固定されうる。なお、異物進入防止具３７は、ベッドフレーム６に取り外し可能に固定されてもよい。これにより、ベッド１のメンテナンス性が向上しうる。
【００６３】
図２に示されるように、上半身側フレーム１５Ｂは、上半身側寝台部４の第４部分４Ｂを下側から支える支持部（以下、単に「第２支持部」ということがある。）２４Ｂと、使用者の上半身を起き上がらせるリクライニング手段２０とが設けられている。
【００６４】
図２及び図３に示されるように、本実施形態の第２支持部２４Ｂは、サイドフレーム６Ｃからベッド幅方向にのびる水平軸部材として構成されている。本実施形態の第２支持部２４Ｂは、一対のサイドフレーム６Ｃ、６Ｃにそれぞれ設けられている。第２支持部２４Ｂは、上半身側寝台部４の基準状態において、第４部分４Ｂの第３部分４Ａ側の端部４Ｂｓと、下半身側寝台部３側の端部４Ｂｔとの間に配置されている。第２支持部２４Ｂは、上半身側寝台部４の第４部分４Ｂの枠体７ｄの下面に当接するように、連結枠１６からベッド幅方向の内側に小長さで突出している。このような第２支持部２４Ｂにより、上半身側寝台部４の寝台面４Ｓが水平な基準状態（図２に示す）において、第４部分４Ｂが支持されうる。なお、本実施形態の第２支持部２４Ｂは、断面円形の水平軸部材として構成されているが、これに限定されるわけではない。
【００６５】
図９は、本実施形態のリクライニング手段２０を示す分解斜視図である。図１０は、上半身側寝台部４の基準状態でのリクライニング手段２０を示す拡大側面図である。図１１は、第３部分４Ａが先行して上向きに移動されたベッド１の部分側面図である。リクライニング手段２０は、上半身側寝台部４の下方に設けられたアクチュエータ（以下、単に「第２アクチュエータ」ということがある。）４１と、傾動手段（以下、単に「第２傾動手段」ということがある。）４２とを含んで構成されている。
【００６６】
第２アクチュエータ４１は、第１アクチュエータ２６と同様に、電動モータ４１ａとロッド４１ｂとが設けられている。本実施形態では、電動モータ４１ａが下半身側寝台部３側に配置される一方、ロッド４１ｂがヘッドボード６Ａ側に配置されている。図１０に示されるように、電動モータ４１ａは、センターフレーム６Ｄの一対の連結材２２、２２のうち、下半身側寝台部３側の連結材２２ａの下方に、取付部材４７を介して固定されている。これにより、第２アクチュエータ４１は、ベッドフレーム６（センターフレーム６Ｄ）に設けられる。また、取付部材４７と電動モータ４１ａの筐体とは、ベッド幅方向にのびる水平軸ａ１３で傾動可能に連結されている。なお、第２アクチュエータ４１の操作は、例えば、リモコン等により、ベッド１上の使用者によって行われる。
【００６７】
図９に示されるように、第２傾動手段４２は、第１傾動手段２７と同様に、一対の支持片４９、４９と、一対の傾動部５０、５０と、回動軸５１と、レバー５２とを有している。さらに、本実施形態の第２傾動手段４２は、アーム５３と、リンク連結手段５４とを有している。
【００６８】
図９及び図１０に示されるように、一対の支持片４９、４９は、固定片４９ａと、凸片４９ｂとを含んで構成されている。固定片４９ａは、センターフレーム６Ｄの一対の連結材２２、２２のうち、上半身側寝台部４側の連結材２２ｂの下部に固定されている。凸片４９ｂは、固定片４９ａの上半身側寝台部４側の端部から、連結材２２ｂの上面よりも上方にのびている。凸片４９ｂは、連結材２２ｂに対して上半身側寝台部４側に配置されている。
【００６９】
一対の傾動部５０、５０は、基部５０ａと、第１突出片５０ｂとを含んで構成されている。
【００７０】
基部５０ａは、図１０に示した上半身側寝台部４の基準状態において、一対の支持片４９、４９からヘッドボード６Ａ側に向かって、ベッド長さ方向にのびている。ベッド長さ方向において、基部５０ａの上面の長さは、上半身側寝台部４の第４部分４Ｂの補強材９ｄの長さよりも小に設定されている。本実施形態の基部５０ａの上面の長さは、補強材９ｄの半長さと同一、又は、半長さよりもやや大に設定されている。この一対の基部５０ａ、５０ａは、第４部分４Ｂの一対の補強材９ｄ、９ｄの下部に、それぞれ固定されている。
【００７１】
突出片５０ｂは、基部５０ａの下半身側寝台部３側の端部から下半身側寝台部３に向かって、上方に傾斜してのびている。この第１突出片５０ｂには、一対の支持片４９、４９の凸片４９ｂに、ベッド幅方向にのびる第３水平軸ａ３で傾動可能にそれぞれ連結される。これにより、図７に示されるように、第４部分４Ｂの下半身側寝台部３側の端部４Ｂｔは、下半身側フレーム１５Ａ（図３に示す）に、リクライニング手段２０を介して第３水平軸ａ３で傾動可能に連結される。
【００７２】
回動軸５１は、ベッド幅方向にのびる丸型鋼管によって構成されている。本実施形態の回動軸５１は、一対の傾動部５０、５０間に連結されている。
【００７３】
本実施形態の回動軸５１には、レバー５２のベッド幅方向外側に、鍔状にのびる一対のフランジ５５、５５が固着されている。従って、回動軸５１と一対のフランジ５５、５５は、一体として回転されうる。フランジ５５、５５は、図１０に示した上半身側寝台部４の基準状態において、回動軸５１から下方に向かって先細状に突出している。このフランジ５５、５５の下端には、フランジ５５、５５間を連結するピン５６が設けられている。
【００７４】
レバー５２は、例えば、上半身側寝台部４の基準状態において、回動軸５１から下方にのびる基片５２ａと、基片５２ａの下端から上半身側寝台部４側に突出する凸片５２ｂとを含み、側面視Ｌ字状に形成されている。
【００７５】
基片５２ａは、回動軸５１に、傾動部５０やフランジ５５とは独立して傾動可能に連結されている。図１０に示した上半身側寝台部４の基準状態において、基片５２ａの上半身側寝台部４側の縁部５２ｆは、フランジ５５に設けられているピン５６よりも、下半身側寝台部３側に配置されている。基片５２ａは、第９水平軸ａ９を支点として、基準状態から傾動（図において、時計回り）されることにより、ヘッドボード６Ａ側の縁部５２ｆと、ピン５６とが当接される。
【００７６】
基片５２ａの下端には、第２アクチュエータ４１のロッド４１ｂの端部が連結されている。基片５２ａと、ロッド４１ｂとは、ベッド幅方向にのびる水平軸ａ１４で回動可能に連結されている。
【００７７】
アーム５３は、上半身側寝台部４の基準状態において、上半身側寝台部４の下方で、ベッド長さ方向にのびている。アーム５３は、例えば、角型鋼管によって構成されている。アーム５３の下半身側寝台部３側の端部は、レバー５２の凸片５２ｂに、ベッド幅方向にのびる水平軸ａ１５で回転可能に連結されている。アーム５３のヘッドボード６Ａ側の端部は、リンク連結手段５４に連結されている。
【００７８】
図９に示されるように、リンク連結手段５４は、回動軸６１、及び、回動軸６１とアーム５３との間を連結する連結具６２を含んで構成されている。
【００７９】
回動軸６１は、第１リンク１２Ａの背中側取付片１４側の他端（図４（ａ）に示す）に一体に固定されている。これにより、回動軸６１は、第６水平軸ａ６（図４（ａ）に示す）を支点として、背中側取付片１４に回転可能に枢支される。
【００８０】
連結具６２は、アーム５３のヘッドボード６Ａ側の端部を、ベッド幅方向外側で挟む一対の連結片６２Ａ、６２Ａとして構成されている。図４（ａ）に示されるように、各連結片６２Ａ、６２Ａは、上半身側寝台部４の基準状態において、回動軸６１（第６水平軸ａ６）から下半身側寝台部３に向かって下方に傾斜してのびる第１部分６２ａと、第１部分６２ａの下端から下半身側寝台部３に向かって上方に傾斜してのびる第２部分６２ｂとを含み、側面視略Ｌ字状に形成されている。さらに、第２部分６２ｂには、第２部分６２ｂの長手方向に沿ってのびる案内溝６２ｃが設けられている。
【００８１】
第１部分６２ａの上端は、回動軸６１に固着されている。従って、連結具６２と回動軸６１とは、第６水平軸ａ６を支点として、一体として回転されうる。また、上半身側寝台部４の基準状態において、第１リンク１２Ａ、回動軸６１（図９に示す）及び連結具６２が、図において反時計回りに回転しないように、第１部分６２ａの上端と背中側取付片１４との間に、回転阻止具（図示省略）が設けられている。これにより、第３部分４Ａが、第４部分４Ｂよりも下向きに移動するのを抑制しうる。
【００８２】
案内溝６２ｃには、アーム５３からベッド幅方向外側にのびるピン６５が、スライド可能に配置されている。このような案内溝６２ｃは、第１リンク１２Ａ、回動軸６１及び連結具６２を回転させることなく、ピン６５を介してアーム５３をベッド長さ方向に案内させることができるため、第２アクチュエータ４１のロッド４１ｂのあそびが形成されうる。
【００８３】
このようなリクライニング手段２０は、図１０に示した上半身側寝台部４の基準状態において、第２アクチュエータ４１のロッド４１ｂの伸長により、回動軸５１の第９水平軸ａ９を支点として、レバー５２が時計回りに回転される。なお、レバー５２は、回動軸５１に、傾動部５０やフランジ５５とは独立して傾動可能に連結されている。このため、この時点において、傾動部５０及びフランジ５５は回転しない。
【００８４】
また、レバー５２の回転により、アーム５３がヘッドボード６Ａ側に押し出され、図４（ａ）に示されるように、案内溝６２ｃのヘッドボード６Ａ側の端部に、ピン６５が当接される。さらに、ロッド４１ｂが伸長されることにより、図４（ｂ）及び図１１に示されるように、回動軸６１及び連結具６２を介して、第１リンク１２Ａが第６水平軸ａ６を支点として、時計回りに傾動される。この第１リンク１２Ａの傾動により、頭部側取付片１３を介して、第３部分４Ａが持ち上げられる。このように、第２アクチュエータ４１のロッド４１ｂの伸長により、リンク１２を介して、第３部分４Ａが持ち上げられる。
【００８５】
図４（ｂ）に示されるように、第３部分４Ａの上昇により、第２リンク１２Ｂは、頭部側取付片１３を介して、第８水平軸ａ８を支点とする時計回りに傾動される。第２リンク１２Ｂは、第１リンク１２Ａよりも短尺であるため、第１リンク１２Ａよりも大きな角度で傾動される。このように、第２リンク１２Ｂが、第１リンク１２Ａよりも大きな角度で傾動されることにより、第３部分４Ａと第４部分４Ｂとの間に段差が形成される。このような段差により、使用者は、第３部分４Ａを枕のように使用することができる。
【００８６】
なお、図１０に示されるように、レバー５２の基片５２ａの縁部５２ｆと、フランジ５５のピン５６とが当接して、回動軸５１及び傾動部５０がレバー５２と一体として回転されるまでは、第４部分４Ｂは、上向きに傾動しない。このため、図１１に示されるように、リクライニング手段２０は、第４部分４Ｂに先行して、第３部分４Ａが上向きに移動させられる。
【００８７】
さらに、第２アクチュエータ４１のロッド４１ｂが伸長されると、図１１に示されるように、レバー５２の基片５２ａの縁部５２ｆが、フランジ５５のピン５６に当接される。そして、ロッド４１ｂが伸長されることにより、図７に示されるように、フランジ５５を介して、レバー５２及び一対の傾動部５０、５０が一体として、第３水平軸ａ３を支点とする時計回りに回転される。この傾動部５０、５０の回転により、上半身側寝台部４の第４部分４Ｂが持ち上げられ、第３水平軸ａ３を支点とする時計回りに傾動される。
【００８８】
レバー５２の基片５２ａの縁部５２ｆが、フランジ５５のピン５６に当接してからは、レバー５２と傾動部５０とが一体となって回転するため、アーム５３の上半身側寝台部４に対する相対位置が変化しない。このため、第３部分４Ａと第４部分４Ｂとの段差が維持されたまま、第３部分４Ａ及び第４部分４Ｂが一体として、上向きに傾けられる。
【００８９】
このように、本実施形態のリクライニング手段２０は、上半身側寝台部４が上向きに傾けられることにより、使用者の上半身を起き上がらせることができる。しかも、上半身側寝台部４が上向きに傾けられてからも、第３部分４Ａと第４部分４Ｂとの段差が維持される。これにより、使用者は、テレビの視聴、読書など長時間使用しても肩コリなど疲労感を抑えつつ、リラックスした快適なリクライニング状態を得ることができる。
【００９０】
第３部分４Ａの枠体７ｃの第４部分４Ｂの枠体７ｄに対する角度α２については、適宜設定されうる。なお、角度α２が小さいと、第３部分４Ａと第４部分４Ｂとの段差を十分に形成できないおそれがある。逆に、角度α２が大きいと、第３部分４Ａと第４部分４Ｂとの段差が大きくなり、使用者に疲労感を生じさせてしまうおそれがある。このような観点より、角度α２は、好ましくは６度以上が望ましく、また、好ましくは１２度以下が望ましい。
【００９１】
また、第２アクチュエータ４１のロッド４１ｂの短縮により、第３部分４Ａと第４部分４Ｂとの段差が維持されたまま、第３部分４Ａ及び第４部分４Ｂが一体として、第３水平軸ａ３を支点とする反時計回りに傾動する。これにより、図１１に示されるように、第３部分４Ａと第４部分４Ｂとの段差が維持されたまま、第４部分４Ｂの寝台面４Ｓが水平に変形される。
【００９２】
第４部分４Ｂの寝台面４Ｓが水平となり、かつ、レバー５２の基片５２ａの縁部５２ｆと、フランジ５５のピン５６との当接が解除されてからは、アーム５３が下半身側寝台部３側に引き戻される。これにより、図４（ａ）に示されるように、第１リンク１２Ａ及び第２リンク１２Ｂが、リンク連結手段５４を介して反時計回りに傾動され、上半身側寝台部４の基準状態に変形される。
【００９３】
本実施形態では、図７に示されるように、変形手段１９による下半身側寝台部３の屈曲状態と、リクライニング手段２０による上半身側寝台部４のリクライニング状態とが、同時に行われている。これにより、使用者は、ソファに座っているかのようなリラックスした状態を得ることができる。なお、下半身側寝台部３の屈曲状態、又は、上半身側寝台部４のリクライニング状態のいずれか一方のみが独立して行われてもよい。
【００９４】
以上、本発明の特に好ましい実施形態について詳述したが、本発明は図示の実施形態に限定されることなく、種々の態様に変形して実施しうる。
【符号の説明】
【００９５】
１      ベッド
２      寝台部
３      下半身側寝台部
３Ａ    第１部分
３Ｂ    第２部分
４      上半身側寝台部
【図１】
2016093434.tif 000003
【図２】
2016093434.tif 000004
【図３】
2016093434.tif 000005
【図４】
2016093434.tif 000006
【図５】
2016093434.tif 000007
【図６】
2016093434.tif 000008
【図７】
2016093434.tif 000009
【図８】
2016093434.tif 000010
【図９】
2016093434.tif 000011
【図１０】
2016093434.tif 000012
【図１１】
2016093434.tif 000013